(57)【要約】  本発明は、基板；前記基板上に備えられた第１電極；前記第１電極上に備えられた１層以上の有機物層；前記有機物層上に備えられた第２電極；および前記第２電極の上部に備えられた光抽出層；を含む有機発光素子およびその製造方法を提供する。本発明に係る有機発光素子は、素子内部で発生した光の全反射を最小化して最大限外部に引き出すことによって、発光効率を極大化することができる。
2011521423.tif 000002
【特許請求の範囲】
【請求項１】
基板；前記基板上に備えられた第１電極；前記第１電極上に備えられた１層以上の有機物層；前記有機物層上に備えられた第２電極；および前記第２電極の上部に備えられた光抽出層を含む有機発光素子。
【請求項２】
基板；前記基板上に備えられた第１電極；前記第１電極上に備えられ、１層以上の有機物層を含む２以上の発光ユニット；前記発光ユニットの間に備えられた中間電極；前記発光ユニット上に備えられた第２電極；および前記第２電極上に備えられた光抽出層を含む有機発光素子。
【請求項３】
前記光抽出層は、前記第２電極と接して配置され、前記光抽出層と前記第２電極の屈折率差は０．５以下である請求項１または２に記載の有機発光素子。
【請求項４】
前記光抽出層は、可視光線領域の波長で透過度が５０％超過のものである請求項１または２に記載の有機発光素子。
【請求項５】
前記光抽出層は、平均屈折率が１．３以上２．５以下のものである請求項１または２に記載の有機発光素子。
【請求項６】
前記光抽出層は、表面凹凸構造、レンズ構造、屈折率の異なる材料の混合層構造、または断面が逆台形の構造のものである請求項１または２に記載の有機発光素子。
【請求項７】
前記光抽出層は、第２電極に取り付けられる支持層と、光抽出のための構造を有する層とを含む多層構造のものである請求項１または２に記載の有機発光素子。
【請求項８】
前面発光（ｔｏｐ  ｅｍｉｓｓｉｏｎ）型または両面発光型である請求項１または２に記載の有機発光素子。
【請求項９】
インバーテッド型ＯＬＥＤ（ｉｎｖｅｒｔｅｄ  ＯＬＥＤ）構造である請求項１または２に記載の有機発光素子。
【請求項１０】
前記第１電極と前記有機物層との間に絶縁物質薄膜が備えられたものである請求項１または２に記載の有機発光素子。
【請求項１１】
前記第２電極は、金属酸化物または合金の酸化物で形成されたものである請求項１または２に記載の有機発光素子。
【請求項１２】
前記第２電極は、伝導性高分子で形成されたものである請求項１または２に記載の有機発光素子。
【請求項１３】
前記第２電極は、屈折率１．７ないし２．３の物質で形成されたものである請求項１または２に記載の有機発光素子。
【請求項１４】
前記第２電極と前記光抽出層との間に保護層をさらに含む請求項１または２に記載の有機発光素子。
【請求項１５】
前記保護層は、シリコン酸化物（ｓｉｌｉｃｏｎ  ｏｘｉｄｅ）、シリコン窒化物（ｓｉｌｉｃｏｎ  ｎｉｔｒｉｄｅ）、またはシリコン酸化窒化物（ｓｉｌｉｃｏｎ  ｏｘｙｎｉｔｒｉｄｅ）を蒸着して形成した層である請求項１４に記載の有機発光素子。
【請求項１６】
前記保護層は、第２電極および光抽出層とそれぞれ接して配置され、保護層と第２電極との間の屈折率差および保護層と光抽出層との間の屈折率差は、それぞれ０．５以下のものである請求項１４に記載の有機発光素子。
【請求項１７】
前記第２電極と前記光抽出層との間に接着層をさらに含む請求項１または２に記載の有機発光素子。
【請求項１８】
前記接着層は、第２電極および光抽出層とそれぞれ接して配置され、接着層と第２電極との間の屈折率差および接着層と光抽出層との間の屈折率差は、それぞれ０．５以下のものである請求項１７に記載の有機発光素子。
【請求項１９】
基板上に第１電極を形成するステップ；前記第１電極上に１層以上の有機物層を形成するステップ；前記有機物層上に第２電極を形成するステップ；および前記第２電極の上部に光抽出層を形成するステップを含む有機発光素子の製造方法。
【請求項２０】
基板上に第１電極を形成するステップ；前記第１電極上に１層以上の有機物層を含む２以上の発光ユニットを形成するステップ；前記発光ユニットのいずれか１つを形成し、その上にまた１つの発光ユニットを形成する前に中間電極を形成するステップ；前記発光ユニット上に第２電極を形成するステップ；および前記第２電極上に光抽出層を形成するステップを含む有機発光素子の製造方法。
【発明の詳細な説明】
【技術分野】
【０００１】
本発明は、有機発光素子およびその製造方法に関する。より具体的に、本発明は、素子から放出する光の全反射を最小化することによって、外部光効率を増加することができる有機発光素子およびその製造方法に関する。
【０００２】
本出願は、２００８年５月２３日に韓国特許庁に提出された韓国特許出願第１０−２００８−００４８２１６号の出願日の利益を主張し、その内容の全ては本明細書に含まれる。
【背景技術】
【０００３】
有機発光素子（Ｏｒｇａｎｉｃ  Ｌｉｇｈｔ  Ｅｍｉｔｔｉｎｇ  Ｄｉｏｄｅ：ＯＬＥＤ）は、図１に示したように適切な機械的強度および平坦度を有する基板１０の上に形成された２つの電極、すなわち正極２０および負極４０と、その間に薄膜として存在する多層構造の有機物３０とから構成されている。上記のような有機発光素子は、天然色平板ディスプレイの製造に商業的に使用されており、最近では、照明用途としての応用のため多くの研究がなされている。
【０００４】
一般的に、有機発光素子の作動は、正極と負極からそれぞれ正孔と電子が有機物へ注入され、このような電荷が再結合しながら、光の放出が起きる現象を利用する。このとき、駆動電圧は、正極物質と正極との界面を形成する有機物質との間に存在する正孔注入バリアの高さ、および、負極物質と負極との界面を形成する有機物質との間に存在する電子注入バリアの高さにより影響される。
【０００５】
有機発光素子が備えるべき特性として重要なのは、高電力効率と耐久性であるといえる。上記のような特性の達成のために、図２に示したように、素子を構成する有機物が正孔注入層３１、正孔輸送層３２、発光層３３、電子輸送層３４等の多層で構造化され、また、各層を構成する有機物として、新しく且つ安定した分子構造の物質が開発しつつある。
【０００６】
上記のような構造の有機発光素子において、基板の下部に光抽出層を備えることにより、素子から放出される光が基板と空気との間の界面で全反射されることを防止するための技術が用いられている。図３は、基板の下部に光抽出層９０が備えられた有機発光素子を例示したものである。
【０００７】
特に、発光層は、さらに、電子と正孔を同時に受け入れるホスト（ｈｏｓｔ）物質と、電子と正孔の再組合によって形成されたエキシトン（ｅｘｉｔｏｎ）を光へ効率的に転換する役割をするドーパント（ｄｏｐａｎｔ）とで構成され得る。従来には、シングレット（ｓｉｎｇｌｅｔ）エキシトンを光へ転換させる蛍光ドーパントを用いてきたが、最近では、トリプレット（ｔｒｉｐｌｅｔ）エキシトンを光へ転換する燐光ドーパントが導入されることにより、量子効率が極めて高い素子が製作されている。
【０００８】
最近、本発明者等は、正極から正孔注入層に正孔が注入される代わりに、正孔注入層と正孔輸送層との間で電子および正孔が生成されて、それぞれ正極と発光層へ移送される新しい作動方式を発明した。このような新しい方式は、正極からの正孔の注入の代わりに、有機物と有機物との間での電荷生成方式を利用するようになるため、正孔注入バリアを克服する必要がないとともに、安定した界面で発生する電荷を利用するため、低駆動電圧と高安定性を示す。
【０００９】
負極と正極は、それぞれ、電子および正孔を有機層へ効果的に注入するために、その材料として多様な物質が開発されている。有機発光素子は、素子から放出する光がその応用により基板を通じて出るか（ｂｏｔｔｏｍ−ｅｍｉｓｓｉｏｎ）、または基板の反対側に出るように（ｔｏｐ−ｅｍｉｓｓｉｏｎ）製作される。光が放出する方向は、光が通過する電極の透過率により決定される。アルミニウムなどの反射率の高い物質を厚く用いる場合、その電極は光を反射するようになり、金属酸化物のような透明度の高い物質や光が透過するほどの厚さを有する薄膜金属を用いる場合は、光がその電極を通じて抜け出すようになる。また、２つの電極がいずれも高透過度を有するときは、光は両面で発光することができる。
【００１０】
負極について具体的に説明すると、有機発光素子において負極が有すべき特性は、負極との界面を形成している電子輸送層に電子を円滑に注入させなければならないことである。負極から電子輸送層への電子注入は、電子輸送層のＬＵＭＯ（Ｌｏｗｅｓｔ  Ｕｎｏｃｃｕｐｉｅｄ  Ｍｏｌｅｃｕｌａｒ  Ｏｒｂｉｔａｌ）準位及び負極を形成する物質の仕事関数の差に密接な関係があり、このような差を電子注入バリアと称する。有機発光素子の駆動電圧は、前記電子注入バリアの大きさに関係がある。注入バリアが低ければ駆動電圧が低くなり、逆に注入バリアが高ければ駆動電圧が高くなる。よって、電子注入バリアの大きさを低くし、これにより低い電圧で素子を駆動するために仕事関数の小さい金属を用いる。このような目的に合う負極を形成する物質としては、マグネシウム（Ｍｇ）、リチウム（Ｌｉ）、セシウム（Ｃｓ）、カルシウム（Ｃａ）等があり、界面接着力、抗酸化性、反射率増大等の目的で他の金属との混合物を使用することもある。これらの物質は、仕事関数が４ｅＶよりも小さいため、電子輸送物質のＬＵＭＯ準位との間で電子注入バリアが小さい。これに対し、アルミニウム（Ａｌ）のように仕事関数が４ｅＶよりも大きい金属を負極としても使用する。しかし、アルミニウムを負極として使用する場合、電子注入バリアが大きいため高い駆動電圧が必要である。その解決のために、図１４に示したように、有機層と負極４２との間に薄膜形態の絶縁物質４１を挿入することによって駆動電圧を極めて低くすることができることが知られている。このような用途として使用する代表的な絶縁物質としては、フッ化リチウム（ＬｉＦ）がある。厚さが５〜３０Åの薄膜で形成されたフッ化リチウムは、素子に電圧が加えられるときに、負極から電子輸送層への電子注入をトンネリング（ｔｕｎｎｅｌｉｎｇ）という現象により容易にする役割をすると説明され、またはフッ化リチウムの次に蒸着されるアルミニウムとの化学的反応を通じて低い仕事関数を有するリチウム原子を生成するため、電子注入を円滑にすると説明されることもある。
【００１１】
前記低い仕事関数を有する物質またはアルミニウムを含有した負極は、熱真空蒸着工程によって形成される。一般的に金属または金属酸化物を用いた電極形成工程は、スパッタリング（ｓｐｕｔｔｅｒｉｎｇ）、電子ビーム（ｅ−ｂｅａｍ）、化学気相蒸着（ＣＶＤ）、熱真空蒸着方式等を通じて行われるが、一般的に有機発光素子の製作において負極形成工程は、正極形成工程および有機物形成工程の後に行われるため、熱真空蒸着のように比較的低いエネルギーを用いた負極形成工程は、その以前に蒸着された有機物に対する損傷を最小化することができる。したがって、有機発光素子の製作に用いられる負極物質は、熱真空蒸着工程を利用することができる比較的低い融点を有する金属の中から選択される。
【００１２】
また、基板を基準に、発光の方向を、基板を通るように誘導するか、さもないと基板と反対側へ発光を誘導するかによって負極物質を選択しなければならない。基板方向へ発光を誘導するためには、基板上に位置する正極は透明度の高い物質の中から選択するようになり、負極は反射度の高い物質の中から選択して、基板の反対方向へ発光する光をさらに基板側へ誘導する役割をするようにする。このような目的に適合した負極としては、上述したアルミニウムが一般的に知られて、広く用いられている。その反面、基板の反対方向へ発光を誘導するためには、図１６で示したように、反射度の高い物質２１の上に透明な正極２２を蒸着したり、比較的反射度が高く、仕事関数の大きい（＞４．５ｅＶ）材料を正極として使用したりするとともに、図１５で示したように、反射度の比較的低い物質を薄膜として形成して負極４３を形成し、このとき、薄膜の負極で発生し得る表面プラズモン（ｓｕｒｆａｃｅ  ｐｌａｓｍｏｎ）を抑制し、または薄膜として形成された負極の伝導度を高めるために、適切な厚さの透明な高誘電性物質または透明伝導性物質層４４を負極上に形成して透明度を高める方法も知られている。このような目的で使用される代表的な負極は、マグネシウムまたはマグネシウムを含有したアロイ（ａｌｌｏｙ）であり、高誘電性または透明伝導性物質としては、一般的に金属酸化物、金属混合物の酸化物、シリコン系酸化物、シリコン系窒化物などが用いられるが、これに限定されない。
【００１３】
単位面積当たり発生する光の量を増加させるために、１枚の基板において２つ以上の有機発光素子構造を積層形態で積層して、素子を製作することができる。このような形態の素子構成は、２つ以上の有機発光素子構造が直列連結された特性を示し、２つの外部電極（正極および負極）と、反復される有機発光素子のユニットとユニットの間に挿入された電荷生成層（ｃｈａｒｇｅ  ｇｅｎｅｒａｔｉｏｎ  ｌａｙｅｒ）とを含むことを特徴としている。このような素子は、単位面積当たり生成される光の量を高められる特性を示し、駆動電圧は、一般的な有機発光素子の構造に比べて、反復ユニットの数に比例して高くなるが、注入される電流はそれに反比例して低くなるため、素子の耐久性を増大することができる効果がある。
【００１４】
有機発光素子は、上述したように、互いに異なる構造を有することができ、それにより互いに異なる多様な物質を用いることができる。しかし、そのような異なる構造の中でもいくつかの共通点を有している。すなわち、有機発光素子を製作するための適切な機械的強度を有する基板が必要ということと、その基板上に少なくとも２つ以上の異なる極性を有する電極が必須ということと、そのような異なる極性を有する電極の間に、電荷を輸送する性質及び発光する性質を有した有機物質が薄膜形態で存在するということである。２つの反対電極は一般的に負極と正極に分けられ、それぞれは電子と正孔を有機物へ注入する役割を果たす。
【発明の概要】
【発明が解決しようとする課題】
【００１５】
本発明では、前述のような素子内部で発生する光の全反射が減少することにより光効率が向上した有機発光素子およびその製造方法を提供することを目的とする。具体的に、本発明者等は、ガラスまたはプラスチックなどで形成された基板と空気層との間で発生する全反射だけでなく、透明電極と基板との間で発生する全反射が光効率に大きな影響を及ぼし、これによって、有機発光素子の基板の下部に光抽出層を形成する従来技術が、光効率を向上させるのに限界があることを明らかにした。したがって、これに基づいて、本発明は、ガラスまたはプラスチックなどで形成された基板と空気層との間で発生する全反射だけでなく、透明電極と基板との間で発生する全反射を同時に最小化することができる構造の有機発光素子およびその製造方法を提供することを目的とする。
【課題を解決するための手段】
【００１６】
上記目的を達成するために、本発明は、基板；前記基板上に備えられた第１電極；前記第１電極上に備えられた１層以上の有機物層；前記有機物層上に備えられた第２電極；および前記第２電極の上部に備えられた光抽出層；を含む有機発光素子を提供する。
【００１７】
また、本発明は、基板；前記基板上に備えられた第１電極；前記第１電極上に備えられ、１層以上の有機物層を含む２以上の発光ユニット；前記発光ユニットの間に備えられた中間電極；前記発光ユニット上に備えられた第２電極；および前記第２電極上に備えられた光抽出層；を含む有機発光素子を提供する。
【００１８】
また、本発明は、基板上に第１電極を形成するステップ；前記第１電極上に１層以上の有機物層を形成するステップ；前記有機物層上に第２電極を形成するステップ；および前記第２電極の上部に光抽出層を形成するステップ；を含む有機発光素子の製造方法を提供する。
【００１９】
さらに、本発明は、基板上に第１電極を形成するステップ；前記第１電極上に１層以上の有機物層を含む２以上の発光ユニットを形成するステップ；前記発光ユニットのいずれか１つを形成し、その上にまた１つの発光ユニットを形成する前に中間電極を形成するステップ；前記発光ユニット上に第２電極を形成するステップ；および前記第２電極上に光抽出層を形成するステップ；を含む有機発光素子の製造方法を提供する。
【発明の効果】
【００２０】
本発明では、従来技術のように空気層と接する基板の部分に光抽出フィルムを形成する代わり、基板上に形成された２つの電極およびその間に存在する少なくとも１つ以上の有機物で形成された有機発光素子において空気と接触する最上部の透明電極上に光抽出フィルムを形成することにより、従来に問題を解決し難しかった透明電極と基板との間の全反射を最小化することのできる高効率の有機発光素子を提供することができる。また、従来技術に係る有機発光素子の光抽出フィルムは、最外郭に露出することで外部の機械的摩擦によりその表面が損傷されるのに対し、本発明に係る有機発光素子の光抽出フィルムは、保護基板の内部に存在するため機械的摩擦に露出されないことにより耐久性が増大する。
【図面の簡単な説明】
【００２１】
【図１】一般的な有機発光素子の構造を例示した図である。
【図２】図１の有機発光素子の有機物層の構造を例示した図である。
【図３】従来の基板の下部に光抽出層を備えた有機発光素子の構造を例示した図である。
【図４】屈折率の高い媒質から屈折率の低い媒質へ移動する光の経路を例示した図である。
【図５】背面発光（ｂｏｔｔｏｍ  ｅｍｉｓｓｉｏｎ）型有機発光素子において有機物層で発生した光の移動経路を示した図である。
【図６】本発明に係る上部電極の上部に光抽出層を備えたインバーテッド型（ｉｎｖｅｒｔｅｄ）構造の有機発光素子の構造を例示した図である。
【図７】本発明に係る有機発光素子の上部電極上に位置する光抽出層の形態を例示した図である。
【図８】本発明に係る有機発光素子の上部電極上に位置する光抽出層の形態を例示した図である。
【図９】本発明に係る有機発光素子の上部電極上に位置する光抽出層の形態を例示した図である。
【図１０】本発明に係る有機発光素子の上部電極上に位置する光抽出層の形態を例示した図である。
【図１１】本発明に係る有機発光素子の上部電極上に位置する光抽出層の形態を例示した図である。
【図１２】本発明に係る有機発光素子の上部電極上に位置する光抽出層の形態を例示した図である。
【図１３】本発明に係る上部電極の上部に光抽出層を備えたノーマル（ｎｏｒｍａｌ）構造の有機発光素子の構造を例示した図である。
【図１４】有機発光素子の負極の構造を例示した図である。
【図１５】有機発光素子の負極の構造を例示した図である。
【図１６】有機発光素子の正極の種類を例示した図である。
【発明を実施するための形態】
【００２２】
以下において、本発明について詳細に説明する。
【００２３】
本発明に係る有機発光素子は、基板と、前記基板上に位置する２つの電極と、前記２つの電極の間に備えられた有機物層とを含む構造であって、従来技術のように前記基板の下部でなく、前記基板と接していない第２電極の上部に光抽出層を有することを特徴とする。
【００２４】
有機発光素子において、光は有機物層で生成され、素子構造の種類によって基板方向に光が放出される場合、基板の反対方向に放出される場合、または両側方向に放出される場合に分けられる。前記有機物層で生成された光が外部に放出されるためには、有機発光素子の構造によりいくつかの界面を通過しなければならない。例えば、基板方向に光が放出される場合は、有機発光層で生成された光は、正孔輸送層、正孔注入層、透明電極層、基板などを通過して空気中に放出されるようになる。
【００２５】
光が空気層に向かって進行するとき、異なる屈折率を有した物質層を通過するようになり、図４で示したように、屈折率が相対的に高い層から低い層へ進行するときは、その屈折率の差による全反射が起こる。例えば、ガラスまたはプラスチック基板は、屈折率が約１．５〜１．６で、空気は、屈折率が１である。ガラスまたはプラスチック基板から空気層へ光が進行するときは、１／２ｎ２の公式に相応する光のみが放出され、残りの光は全反射（ｔｏｔａｌ  ｉｎｔｅｒｎａｌ  ｒｅｆｌｅｃｔｉｏｎ）によって屈折率の高いガラスまたはプラスチック基板に閉じ込められて、熱に変わるようになる。
【００２６】
このような全反射は、隣接する媒質間の屈折率差が大きければ大きいほど多く発生するようになり、結果として、一般的な有機発光素子構造では、基板（ガラスまたは透明プラスチック）と空気層との間で最も多く発生すると知られている。全反射は、或る媒質の中の任意の点から発生した光がそれよりも屈折率の小さい媒質へ進行するとき、その点から両媒質の境界面に下ろした垂線と、その点から両媒質の任意の境界面の間に存在する点とを連結する線とが成す角をｔｈｅｔａとすると、全反射を起こし始める角度は、ｔｈｅｔａＣ＝ｓｉｎ−１（ｎ２／ｎ１）であり、ここで、ｎ２は屈折率が相対的に低い媒質であり、ｎ１は屈折率が相対的に高い媒質である（図４）。
【００２７】
従来技術においては、有機発光素子の基板と空気層との間で発生する全反射による光損失を最小化するために、図３に示したように基板１０の下部に光抽出層９０を形成する方法を用いる試みがあった。
【００２８】
しかし、本発明においては、上記のような従来技術を用いる場合、有機発光素子の光抽出効率を向上させるのに大きな制限があるということを認識した。具体的に、上記のような基板と空気層との間における全反射現象は、図５に示したように、基板１０と空気層との界面でだけでなく、電極２０と基板１０の界面でも発生するようになり、これによって、基板と空気層との間における全反射だけでなく、透明電極と基板との間における全反射が、素子から光を抽出する効率に相当な影響を及ぼすということを認識した。
【００２９】
したがって、従来技術によると、透明電極と基板との間で発生する全反射による光損失を減少することができなかった。すなわち、一般的に用いられる透明正極物質のＩＴＯやＩＺＯの屈折率は１．７〜２．２で、ガラスまたはプラスチック基板の屈折率１．５〜１．６よりも相対的に高いため、一部の光は前記透明電極と基板との間においても全反射により光が放出されない場合がある。電極とガラス基板との間およびガラス基板と空気層との間でそれぞれ光損失が約５０％および約３０％発生する。
【００３０】
そこで、本発明では、有機発光素子の基板の下部でなく、上部電極上に光抽出層を形成することにより、素子と空気層との間における全反射だけでなく、素子内部における透明電極と基板との間における全反射による光損失を防止することができる。図６は、本発明に係る素子の構造を示したものであって、基板１０の上部に反射率の高い金属を含む負極層４０、有機物層３０および透過度の高い正極層２０が順次積層されており、正極層２０には、光抽出層９０が取り付けられている。
【００３１】
本発明に係る有機発光素子において、前記光抽出層の構造または材質は、素子から発生する光の抽出を向上することができるものであれば、特に制限されない。
【００３２】
光抽出層は、低光吸収度を有することが好ましい。そのために用いられる物質としては、自由な成形のために高分子物質で形成されることが好ましく、可視光線領域の波長で透過度が＞５０％であることが好ましく、より好ましくは、透過度が＞８０％であることがよい。前記高分子に高分子と屈折率の差が０．１以上のフィラー（ｆｉｌｌｅｒ）を添加して散乱を起こすことによって光抽出効率を上げようとする場合は、フィルムを形成する高分子とフィラーを形成する物質それぞれの吸収率が＜５０％であることが好ましく、より好ましくは、＜３０％であることがよい。
【００３３】
前記光抽出層は、本発明に係る素子の基板と接していない上部電極（第２電極）の屈折率と空気層の屈折率との間の屈折率を有する材料で形成してもよい。また、前記光抽出層の光抽出効率を上げるために、光抽出層の平均屈折率が１．３以上２．５以下であることが好ましい。光抽出層の屈折率が高ければ高いほど光抽出効率は増加することができ、そのために光抽出層を形成する高分子の屈折率を高めるのが好ましい。高分子の光屈折率は、高分子を構成する原子、作用基、密度などに影響され、単に炭素と水素からなる高分子に比べて、原子番号が大きい酸素や窒素などの原子が含まれた高分子を使用するのがより好ましい。また、硫黄または臭素のような原子を高分子分子構造に含めることによって屈折率をさらに高めることができる。
【００３４】
前記光抽出層は、第２電極と接して配置され、このとき、光抽出層と第２電極の間の屈折率差は０．５以下であることが好ましく、０．２以下であることがより好ましい。
【００３５】
前記光抽出層は、全反射を減少することができる表面凹凸構造、レンズ構造、または屈折率の異なる材料の混合層構造、断面が逆台形の構造で形成することができるが、これらの例にのみ限定されない。前記光抽出層は、多層の構造を有し、上部電極の第２電極に取り付けられる支持層と、光抽出のための構造が形成された層とに区分される。
【００３６】
具体的に、図７に示したように、上部電極と空気が接する面に凹凸を形成したフィルム９０ａを取り付け、または上部電極に凹凸を形成して光の散乱を発生することにより、全反射される光を外部に放出させる方法がある。
【００３７】
また、図８に示したように、上部電極の外部に半球面レンズ状のフィルムを取り付け、または上部電極上に直接半球面レンズ状を形成することによって９０ｂ、発生する光が空気層に接するとき、臨界角（ｃｒｉｔｉｃａｌ  ａｎｇｌｅ）以内で接するようにする確率を高めることによって全反射を減らす方法がある。
【００３８】
前記光抽出層は、また、図９に示したように、上記半球状を有するパターンを繰り返して形成したフィルム９０ｃを使用することができ、半球の半径と高さ、及び半球型レンズの間の間隔を調整して目的に合わせて最適化することができる。
【００３９】
前記半球状以外にも、図１０に示したように、円錐状の上端を除去して逆さまにした形態、すなわち逆台形の断面形状を形成したフィルム９０ｄを取り付けて使用することができ、図１１に示したように、このような形態を繰り返して形成したフィルム９０ｅを取り付けて使用することができる。
【００４０】
または、図１２に示したように、屈折率の異なる２種以上の物質を含有したフィルム９０ｆを上部電極に取り付けることによって乱反射を起こし、これを利用して全反射を最小化することによって光抽出効率を上げる方法もある。
【００４１】
本発明において、光抽出層を除いた有機発光素子の構成について説明すると、次のとおりである。
【００４２】
本発明の一実施形態に係る有機発光素子は、基板と、前記基板上に備えられた第１電極と、前記第１電極上に備えられた１層以上の有機物層と、前記有機物層上に備えられた第２電極とを含む。ここで、前記第２電極の上部に光抽出層が備えられる。
【００４３】
本発明の他の一実施形態に係る有機発光素子は、基板と、前記基板上に備えられた第１電極と、前記第１電極上に備えられ、１層以上の有機物層を含む２以上の発光ユニットと、前記発光ユニットの間に備えられた中間電極と、前記発光ユニット上に備えられた第２電極とを含む。ここで、前記第２電極上に光抽出層が備えられる。
【００４４】
本発明に係る有機発光素子は、前面発光（ｔｏｐ  ｅｍｉｓｓｉｏｎ）型または両面発光型であってもよい。また、本発明に係る有機発光素子は、基板の上に正極が先に形成された後、正孔注入層、正孔輸送層、発光層、電子輸送層などの有機物層が形成され、最後に負極が形成される順で製作されるノーマルＯＬＥＤ（ｎｏｒｍａｌ  ＯＬＥＤ）構造であってもよく（図１３参照）、その逆順、すなわち基板の上に負極、電子輸送層、発光層、正孔輸送層、正孔注入層などの有機物層および正極の順で形成されたインバーテッド型ＯＬＥＤ（ｉｎｖｅｒｔｅｄ  ＯＬＥＤ）構造であってもよい。本発明では、上部電極が透明な正極であるインバーテッド型ＯＬＥＤ構造であることが好ましい。
【００４５】
本発明において、前記第１電極は、反射率の高い金属で形成されてもよく、仕事関数が４．５ｅＶよりも小さい物質を用いるのが好ましい。具体例としては、アルミニウム、カルシウム、マグネシウム、銀、セシウム（Ｃｓ）、リチウムまたはこれらを含むアロイ（ａｌｌｏｙ）が用いられる。または、有機物層内に含まれる電子輸送物質に、前記仕事関数の低い物質やｎ−ｔｙｐｅ性質を有する有機物をドープすることで、第１電極を透明な酸化物、すなわちＩＴＯ（ｉｎｄｉｕｍ  ｔｉｎ  ｏｘｉｄｅ）やＩＺＯ（ｉｎｄｉｕｍ  ｚｉｎｃ  ｏｘｉｄｅ）等を使用可能にすることにより、第１電極と第２電極の両方に同時に発光を誘導することができる。
【００４６】
図１４のように、前記第１電極が負極４２である場合、負極と有機物層との間に薄膜形態の絶縁物質４１を挿入することにより駆動電圧を下げることができる。このような用途で使用する代表的な絶縁物質としては、フッ化リチウム（ＬｉＦ）があるが、これのみに限定されない。厚さが５〜３０Åの薄膜で形成されたフッ化リチウムは、素子に電圧が加えられるとき、負極から電子輸送層への電子注入をトンネリング（ｔｕｎｎｅｌｉｎｇ）という現象により容易にする役割をすると説明され、またはフッ化リチウムの次に蒸着されるアルミニウムとの化学的反応を通じて低い仕事関数を有するリチウム原子を生成するため、電子注入を円滑にすると説明されることもある。
【００４７】
前記第２電極は、好ましくは透過度の高い材料で形成してもよく、その例としては、金属または合金の酸化物で形成してもよい。具体的に、インジウム錫の酸化物、インジウム亜鉛の酸化物、前記酸化物にアルミニウムなどの他の金属または非金属または両性元素が添加された酸化物が用いられる。第２電極としては、伝導性高分子も用いられる。また、第２電極は、金属薄膜で形成されてもよい。前記第２電極は、光透過度が５０％以上であることが好ましい。前記第２電極の屈折率は、特に限定されないが、透明伝導性酸化物で形成される場合、その屈折率は１．７ないし２．３内である。
【００４８】
前記低い仕事関数を有する物質またはアルミニウムを含有した電極は、熱真空蒸着工程によって形成されてもよく、金属または金属酸化物を用いた電極形成工程は、スパッタリング（ｓｐｕｔｔｅｒｉｎｇ）、電子ビーム（ｅ−ｂｅａｍ）、化学気相蒸着（ＣＶＤ）、熱真空蒸着方式等を通じて形成されてもよいが、これにのみ限定されない。
【００４９】
本願発明に係る有機発光素子が前面発光型である場合、基板の反対側に位置する第２電極は、透明度の高い物質中から選択されてもよい。これによって、基板上に位置する第１電極は反射度の高い物質中から選択して、基板方向に発光する光を基板の反対方向に誘導することができる。前面発光型有機発光素子において、第１電極が正極である場合、図１６のように反射度の高い物質２１の上に透明な正極２２を蒸着し、または比較的反射度が高く、仕事関数が大きい（＞４．５ｅＶ）材料を正極として使用してもよく、このとき、図１５に示したように、反射度の比較的低い物質を薄膜として形成して、第２電極である負極を形成してもよい。このとき、薄膜の負極で発生し得る表面プラズモン（ｓｕｒｆａｃｅ  ｐｌａｓｍｏｎ）を抑制し、または薄膜で形成された負極の伝導度を高めるために、適切な厚さの透明な高誘電性物質または透明伝導性物質層４４を負極の上に形成して透明度を高めてもよい。このような目的で使用された代表的な負極は、マグネシウムまたはマグネシウムを含有したアロイ（ａｌｌｏｙ）であり、高誘電性または透明伝導性物質としては、金属酸化物、金属混合物の酸化物、シリコン系酸化物、シリコン系窒化物などが用いられるが、これに限定されない。
【００５０】
前記中間電極は、前記第１電極または第２電極材料として例示されたものを用いてもよい。
【００５１】
本発明に係る有機発光素子は、有機物層上に形成された第２電極と第２電極上に形成された光抽出層との間に透明な保護層をさらに含んでもよい。このとき、透明な保護層としては、シリコン酸化物（ｓｉｌｉｃｏｎ  ｏｘｉｄｅ）、シリコン窒化物（ｓｉｌｉｃｏｎ  ｎｉｔｒｉｄｅ）、シリコン酸化窒化物（ｓｉｌｉｃｏｎ  ｏｘｙｎｉｔｒｉｄｅ）等をＣＶＤ（Ｃｈｅｍｉｃａｌ  Ｖａｐｏｒ  Ｄｅｐｏｓｉｔｉｏｎ）等の蒸着工程により形成して使用してもよい。このような方法により、有機発光素子を水分や酸素から保護するとともに、光抽出層の取付けの際に発生し得る機械的破壊を最小化することができる。また、このように蒸着形成されたシリコン酸化物、シリコン窒化物またはシリコン酸化窒化物は、化学量論的比率操作を通じて屈折率を調整でき、これを最適化して光抽出効率を極大化することができる。前記保護層の屈折率は、１．３以上２．５以下であることが好ましい。前記保護層の厚さは、１００ｎｍ〜５００μｍであることが好ましい。
【００５２】
前記保護層は、前記第２電極と前記光抽出層と接して配置され、このとき、保護層と第２電極との間の屈折率差および保護層と光抽出層との間の屈折率差は、０．５以下であることが好ましく、０．２以下であることがより好ましい。
【００５３】
本発明に係る有機発光素子は、有機物層上に形成された第２電極と第２電極の上に形成された光抽出層との間に接着層をさらに含んでもよい。このとき、接着層としては、エポキシ、アクリルなどの素材を使用でき、オリゴマー形態の素材を光抽出フィルムに塗布して第２電極層に圧着した後、熱または紫外線で硬化して、取り付けることができる。このような方法により、有機発光素子を水分や酸素から保護するとともに、抽出層の取り付けの際に発生し得る機械的な破壊を最小化することができる。
【００５４】
前記接着層は、第２電極と前記光抽出層と接して配置され、このとき、接着層と第２電極との間の屈折率差および接着層と光抽出層との間の屈折率差は、０．５以下であることが好ましく、０．２以下であることがより好ましい。
【００５５】
本発明の有機発光素子を構成する有機物層は、当技術分野に知られている構造および材料を利用して形成することができる。前記有機物層は、単一層で構成されてもよく、２層以上の多層構造で構成されてもよい。例えば、前記有機物層は、正孔注入層、正孔輸送層、発光層および電子輸送層を含んでもよい。
【００５６】
以下、実施例により、本発明をより詳細に説明する。しかし、以下の実施例は本発明を例示するためのものであり、本発明の範囲が限定されることを意図するものではない。
【００５７】
実施例１
透明なガラス基板（Ｃｏｒｎｉｎｇ  ７０５９  ｇｌａｓｓ）の上にアルミニウム（７００Å）とフッ化リチウム（ＬｉＦ）を順に熱真空蒸着して負極を形成した。前記負極上に９，１０−ビス−２−ナフチル−２−［４−（Ｎ−フェニルベンゾイミダゾイル）フェニル］アントラセン（化学式Ａ）を、１Å／ｓｅｃの蒸着速度を保持して２００Åの厚さで電子輸送層を形成した。前記電子輸送層上に発光層の役割をする化学式Ｂの構造を有する発光ホスト物質と化学式Ｃの構造を有するドーパント物質とを９４：６の体積比率で真空蒸着してドープされた発光層を３００Åの厚さで形成し、発光ホストの蒸着速度は１Å／ｓｅｃを保持した。前記発光層上に順次化学式Ｄの構造を有する化合物の正孔輸送層と化学式Ｅの構造を有する化合物の正孔注入層とを、それぞれ４００Åと７００Åの厚さで熱真空蒸着方法を利用して形成した。このとき、蒸着速度は１Å／ｓｅｃを保持した。前記正孔注入層上に１７５０Åの厚さのＩＺＯ（ｉｎｄｉｕｍ  ｚｉｎｃ  ｏｘｉｄｅ）をスパッタリング工程を利用して蒸着して正極を形成した。上記のように製作された有機発光素子は、図６に示したインバーテッド型ＯＬＥＤ素子構造を特徴としており、発光面積は４ｍｍ２になるように製作した。前記有機発光素子に５０ｍＡ／ｃｍ２の電流を注入すると、駆動電圧は４．８Ｖであり、１５．３ｌｕｍｅｎの照度が観測された。前記有機発光素子において、ＩＺＯで形成された正極上に、図９の形態を有した屈折率１．５の２５μｍ半径の半球型レンズを５３μｍの間隔で六角形状で配列した光抽出フィルムを取り付けた。光抽出層の取付前と同一の電流を注入すると、１９．６ｌｕｍｅｎの照度が観測された。したがって、正極上に光抽出フィルムを取り付けると、２８％の照度が向上した。
【００５８】
【化１】
2011521423.tif 000003
【００５９】
比較例
実施例で用いた同一の基板上に、図１で示したノーマル（ｎｏｒｍａｌ）構造の有機発光素子を製作した。具体的に、基板上に順次、正極のＩＺＯ、正孔注入層、正孔輸送層、発光層、電子輸送層、およびフッ化リチウムとアルミニウムとで構成された負極を形成した。それぞれの層は、実施例と同一の条件で形成した。５０ｍＡ／ｃｍ２の電流を注入すると、駆動電圧は５．５Ｖであり、１１．９ｌｕｍｅｎの照度が観測された。前記有機発光素子において、図９の形態を有する光抽出フィルムをガラス基板上に取り付けた後、同一の電流を注入すると、１３．９ｌｕｍｅｎの照度が観測された。したがって、ガラス基板上に光抽出フィルムを取り付けると、１７％の照度が向上した。
【００６０】
前記実施例および比較例の結果から見られるように、インバーテッド型構造を有する有機発光素子は、ノーマル構造を有する素子に比べて、低い駆動電圧により駆動が行われるとともに、同一電流で多くの光量を生産する。このような２種の素子に光抽出層をそれぞれ正極上とガラス基板下に取り付けた場合、光抽出効率は、正極に取り付けたときの方が、ガラス基板に取り付けたときより１．６倍増加した。したがって、基板上に光抽出層を取り付ける場合よりも、有機物層上に形成されている透明電極上に光抽出フィルムを取り付ける場合の光抽出効率が大きく増加することを見出した。
【図１】
2011521423.tif 000004
【図２】
2011521423.tif 000005
【図３】
2011521423.tif 000006
【図４】
2011521423.tif 000007
【図５】
2011521423.tif 000008
【図６】
2011521423.tif 000009
【図７】
2011521423.tif 000010
【図８】
2011521423.tif 000011
【図９】
2011521423.tif 000012
【図１０】
2011521423.tif 000013
【図１１】
2011521423.tif 000014
【図１２】
2011521423.tif 000015
【図１３】
2011521423.tif 000016
【図１４】
2011521423.tif 000017
【図１５】
2011521423.tif 000018
【図１６】
2011521423.tif 000019
【国際調査報告】
2011521423.tif 000020
2011521423.tif 000021
2011521423.tif 000022
2011521423.tif 000023